(57)【特許請求の範囲】
【請求項１】
両端部に一組の高圧引下線を圧縮した後の屈曲したスリーブを真直状態に矯正する電線接続用スリーブの矯正装置であって、
固定ジョーと可動ジョーで前記スリーブの一端部側を保持するチャック装置を有する第１の工具と、
前記スリーブの他端部側の外周方向から当該スリーブの他端部側の互いに異なる位置に当接自在な、離隔した一対の矯正棒を柄部の先端部に有する第２の工具と、を備え、
前記第１の工具は、
前記チャック装置を支持する基板と、
一方の前記矯正棒を挿入自在に前記基板に開口し、前記スリーブの他端部側が延びる方向に形成された一対の嵌合穴と、を有し、
いずれか一方の前記嵌合穴に一方の前記矯正棒を挿入した状態で、他方の前記矯正棒を回動して、前記スリーブの他端部側を矯正する、電線接続用スリーブの矯正装置。
【請求項２】
前記チャック装置は、
前記可動ジョーと回転自在に連結する先端部を有する送りねじと、
前記基板の下端部に形成し、前記送りねじとねじ結合するナット部材と、
前記送りねじの基端部に形成し、異なる用途の先端工具を共用できる共用操作棒の先端部に着脱自在な円筒状の接続具と、を備える請求項１記載の電線接続用スリーブの矯正装置。
【請求項３】
前記第２の工具は、異なる用途の先端工具を共用できる共用操作棒の先端部に固定された菊座アダプタに着脱自在な円板状の菊座部を前記柄部の基端部に有する、請求項１又は２記載の電線接続用スリーブの矯正装置。
【発明の詳細な説明】
【技術分野】
【０００１】
本発明は、電線接続用スリーブの矯正装置に関する。特に、無停電状態の高圧配電線を間接的に活線作業できる間接活線作業用の矯正装置であって、一組の電線の芯線をスリーブの両端部から挿入して、スリーブを圧着することよって、一組の電線を接続する電線接続用スリーブにおいて、電線接続用スリーブの曲りを矯正する矯正装置の構造に関する。
【背景技術】
【０００２】
高圧配電線を無停電で配電工事を行う活線作業には、直接活線工法と間接活線工法の二通りがある。直接活線工法は、作業者が高圧ゴム手袋などの保護具を着用して、通電中の高圧配電線に直接触れて配電工事を行う。一方、間接活線工法は、作業者が絶縁操作棒（ホットスティック）などを用いて、通電中の高圧配電線に直接触れることなく配電工事を行うことができる。
【０００３】
図６は、高圧配電線の装柱例を示す斜視図である。図６を参照すると、電柱Ｐは、第１腕金Ａ１を上部に取り付けている。第１腕金Ａ１には、碍子を介して、複数の高圧配電線Ｗｈを架設している。又、電柱Ｐは、第２腕金Ａ２を中間部に取り付けている。第２腕金Ａ２には、高圧カットアウトＦを取り付けている。柱上変圧器Ｔは、支持金具を介して、電柱Ｐに装柱している。高圧配電線Ｗｈからは、高圧引下線Ｗｅを分岐している。高圧引下線Ｗｅは、高圧カットアウトＦを介して、柱上変圧器Ｔに接続している。
【０００４】
図７は、電線接続用スリーブの一例を示す斜視図であり、図７（Ａ）は、一方の電線の芯線をスリーブの一方の端部に圧着した状態図、図７（Ｂ）は、他方の電線の芯線をスリーブに圧着する前の状態図である。
【０００５】
図６又は図７を参照して、高圧引下線Ｗｅは、芯線Ｗｃと芯線Ｗｃを被覆する絶縁被覆Ｗｂで構成している。又、高圧引下線Ｗｅは、絶縁被覆Ｗｂを剥離して芯線Ｗｃが露出された端末を有している。
【０００６】
図６又は図７を参照して、切り離された一組の高圧引下線Ｗｅ・Ｗｅを接続する場合には、一方の電線と他方の電線の各芯線を円筒状のスリーブＳｖの両端部からそれぞれ挿入し、スリーブＳｖを外周方向から圧縮することで、一組の芯線Ｗｃ・Ｗｃを圧着接続できる。
【０００７】
図６又は図７を参照して、上述したような接続工事は、停電状態において、切断された一方の高圧引下線Ｗｅの芯線ＷｃをスリーブＳｖの一方の端部に圧着している。次に、把持工具を先端部に有する絶縁操作棒（いわゆる、絶縁ヤットコ）を用いて、一方の高圧引下線Ｗｅの芯線Ｗｃが圧着されたスリーブＳｖを一方の作業員が把持し、絶縁ヤットコを用いて、他方の作業員が切断された他方の高圧引下線Ｗｅの芯線ＷｃをスリーブＳｖの他方の端部に挿入していた。次に、圧着工具を先端部に有する絶縁操作棒を用いて、スリーブＳｖの他方の端部を圧着することで、一組の高圧引下線Ｗｅ・Ｗｅを接続していた。
【０００８】
上述した圧着工具として、操作ハンドルの先端部に小さい力を加えることで、可動ダイスに大きな力を作用できる倍力装置からなる手動式の圧縮装置が知られている。
【０００９】
図８は、従来技術による手動式の圧縮装置の構成を示す正面図である。図８を参照すると、従来技術による手動式の圧縮装置（以下、圧縮ペンチという）８は、複数のリンクを回転可能に連結した４節回転連鎖のリンク装置であり、固定アーム８１、可動アーム８２、及び揺動アーム８３を備えている。又、圧縮ペンチ８は、第１リンク８４とベルクランク８５を備えている。
【００１０】
図８を参照すると、可動アーム８２は、可動ダイス８２ｄを一方の端部に固定している。固定ダイス８１ｄと可動ダイス８２ｄの間にスリーブＳｖ（図７参照）を配置し、固定ダイス８１ｄに対して可動ダイス８２ｄが向かうように、可動アーム８２を一方の方向に回動することで、スリーブＳｖを圧縮できる。
【００１１】
図８を参照すると、可動アーム８２は、正面視が二等辺三角形状の部材であり、鈍角に形成された隅部８２ｃが固定ダイス８１ｄの上壁に当接している。可動アーム８２は、隅部８２ｃを回動中心として両端部を揺動できる。そして、可動アーム８２の他方の端部を持ち上げるように一方の方向に回動すると、可動ダイス８２ｄを固定ダイス８１ｄに向かわせることができ、可動アーム８２の他方の端部を押し下げるように他方の方向に回動すると、可動ダイス８２ｄを固定ダイス８１ｄから離間できる。
【００１２】
図８を参照すると、揺動アーム８３は、その一方の端部が可動アーム８２の他方の端部と回動自在に連結している。又、揺動アーム８３は、その他方の端部がベルクランク８５の屈折部と回動自在に連結している。
【００１３】
図８を参照すると、揺動アーム８３は、固定アーム８１から突出したラチェットギア８１ｇに係止可能な係止爪８３ｎを中間部に備えている。後述する操作ハンドル８５１を一方の方向に回動すると、ラチェットギア８１ｇに係止爪８３ｎが係止して、固定ダイス８１ｄと可動ダイス８２ｄが閉じる状態を維持できる。揺動アーム８３の中間部に設けた解除レバー８３ｒを操作すると、ラチェットギア８１ｇから係止爪８３ｎを解放できる。
【００１４】
図８を参照すると、ベルクランク８５は、長いアームで形成された操作ハンドル８５１と短いアームで形成された第２リンク８５２で構成している。操作ハンドル８５１は、その端部に操作リング８５ｒを取り付けている。第２リンク８５２は、その端部が第１リンク８４の他方の端部と回転可能に連結している。
【００１５】
図８を参照すると、第２リンク８５２は、その端部にねじりコイルばね８５ｓを取り付けている。ねじりコイルばね８５ｓの一端部は、第１リンク８４に係合している。ねじりコイルばね８５ｓの他端部は、第２リンク８５２に係合している。
【００１６】
図８を参照して、操作ハンドル８５１を一方の方向Ｌに回動すると、第１リンク８４と第２リンク８５２を閉じるように変位できる。具体的には、先端部にフック金具を有する絶縁操作棒（図示せず）を用いて、フック金具を操作リング８５ｒに係止し、操作ハンドル８５１を一方の方向Ｌに回動すると、第１リンク８４と第２リンク８５２を閉じるように変位できる。又、解除レバー８３ｒを操作すると、ねじりコイルばね８５ｓに付勢されて、第１リンク８４と第２リンク８５２を開くように、復帰できる。
【００１７】
図８を参照して、操作ハンドル８５１を一方の方向Ｌに回動すると、これらのリンクが連動して、操作ハンドル８５１の先端部に加えた小さい力で、可動ダイス８２ｄに大きな力を作用できる。解除レバー８３ｒを操作すると、これらのリンクが連動して、操作ハンドル８５１を他方の方向Ｒに復帰できる。
【００１８】
図８を参照すると、圧縮ペンチ８は、連結アーム８６を備えている。連結アーム８６は、その基端部を固定アーム８１に固定している。連結アーム８６は、固定アーム８１と略平行に延びて、その先端部に菊座部８６ｋを設けている。
【００１９】
次に、圧縮ペンチを操作するための共用操作棒及び菊座アダプタの構成を説明する。図９は、圧縮ペンチを操作するための共用操作棒の正面図である。図１０は、共用操作棒の先端部に設けた工具部を拡大した斜視図である。図１１は、共用操作棒の工具部に装着可能な菊座アダプタの一例による構成を示す正面図である。
【００２０】
図９を参照すると、共用操作棒７は、工具部７１と柄部７２と把持部７３を備えている。工具部７１は、後述する菊座アダプタ６（図１１参照）を着脱可能となっている。把持部７３は、作業員が把持し易いように滑り止めが施されている。柄部７２は、工具部７１と把持部７３とを連結し、絶縁性を有する長尺の管体からなっている。
【００２１】
図９を参照すると、柄部７２の中間部には、円錐体状の安全カバー７ａを取り付けている。安全カバー７ａは、工具部７１から進出する水を堰き止めることができる。又、柄部７２と把持部７３との接続部には、円錐体状の安全カバー７ｂを取り付けている。安全カバー７ｂの取付け位置は、絶縁性を考慮して安全に作業できる限界を示している。
【００２２】
図１０を参照すると、工具部７１は、軸部７１ａ、一対のピン７１ｂ・７１ｂ、プッシュロッド７１ｃ、及びプッシュリング７１ｄを有している。軸部７１ａは、柄部７２の軸方向に突出している。一対のピン７１ｂ・７１ｂは、相反する向きに軸部７１ａの外周から突出している。プッシュロッド７１ｃは、軸部７１ａの先端面から突出するように、工具部７１に内蔵された圧縮コイルばね（図示せず）によって、力を付勢されている。プッシュリング７１ｄは、軸部７１ａの下方に配置されている。プッシュリング７１ｄは、図示しない圧縮コイルばねによって、軸部７１ａに向かう力を付勢されている。
【００２３】
図１１を参照すると、菊座アダプタ６は、共用操作棒７の工具部７１に着脱自在に取り付けできる。菊座アダプタ６は、円筒状の接続部６１と菊座部６２で構成している。接続部６１は、菊座アダプタ６の基端部側に設けられている。一方、菊座部６２は、菊座アダプタ６の先端部側に設けられている。
【００２４】
図１１を参照すると、接続部６１は、底面が開口された円筒状に形成している。接続部６１には、軸部７１ａ（図１０参照）が嵌合する軸穴６１ａを有している。又、接続部６１には、一対のＴ字状の係合溝６１ｂ・６１ｂを有している。一対のピン７１ｂ・７１ｂ（図１０参照）を軸穴６１ａの軸方向に挿入した後に、これらのピン７１ｂ・７１ｂを軸穴６１ａの周方向に回動することで、これらのピン７１ｂ・７１ｂを係合溝６１ｂ・６１ｂに係合できる。
【００２５】
上述したような係合手段は、ツイストロックと呼ばれている。そして、図９から図１１を参照して、工具部７１と接続部６１が嵌合した状態では、プッシュロッド７１ｃが軸穴６１ａの上壁を弾圧すると共に、プッシュリング７１ｄが接続部６１の底面に当接して、菊座アダプタ６を工具部７１に確実に固定できる。
【００２６】
図９又は図１０に示した共用操作棒７は、間接活線工事に好適な絶縁操作棒の一種であるが、異なる用途の先端工具を共用できることから、特に、「共用操作棒」と呼ばれている。
【００２７】
図１１を参照すると、菊座部６２は、略円形の菊座６２ａと雄ねじ６２ｂを備えている。菊座６２ａは、その表面から僅かに突出する複数の凸条６２１を円周上に配列している。雄ねじ６２ｂは、菊座６２ａの略中心から立設している。又、雄ねじ６２ｂには、蝶ナット６３が螺合している。
【００２８】
一方、図８を参照すると、圧縮ペンチ８の菊座部８６ｋは、略円形の菊座８６ａと切り欠き溝８６ｂを有している。菊座８６ａは、その表面から僅かに突出する複数の凸条８６１を円周上に配列している。切り欠き溝８６ｂは、菊座部８６ｋの底面から中心部に向かって切り欠かれている。
【００２９】
図８から図１１を参照して、菊座アダプタ６を共用操作棒７の工具部７１に固定し、菊座６２ａと菊座８６ａが当接するように、切り欠き溝８６ｂに雄ねじ６２ｂを挿通し、蝶ナット６３を雄ねじ６２ｂに締結することで、共用操作棒７に対して圧縮ペンチ８を任意の傾き角度に設定できる。
【００３０】
例えば、熟練性を要することなく、高圧引下線の端末を電線接続用スリーブに迅速、かつ、確実に、しかも簡便に能率よく挿入できる高圧引下線における電線接続用スリーブの挿入器が開示されている（例えば、特許文献１参照）。
【先行技術文献】
【特許文献】
【００３１】
【特許文献１】特開２０００−１３４７５８号公報
【発明の概要】
【発明が解決しようとする課題】
【００３２】
図６を参照して、スリーブＳｖを露出させた状態では、感電の心配があるので、通常、引下線絶縁ケースでスリーブＳｖを覆っている。図１２は、一般的な引下線絶縁ケースの構成を示す図であり、図１２（Ａ）は、引下線絶縁ケースの正面図であり、引下線絶縁ケースを開いた状態図、図１２（Ｂ）は、１２（Ａ）の右側面図、図１２（Ｃ）は、１２（Ａ）のＸ−Ｘ矢視断面図、図１２（Ｄ）は、１２（Ａ）のＸ−Ｘ矢視断面図であり、引下線絶縁ケースを閉じた状態図である。
【００３３】
図１２を参照すると、一実施形態による引下線絶縁ケース（以下、絶縁ケースと略称する）９は、半円弧状態に形成された一対の絶縁性を有する筒状の分割ケース９１・９１で構成している。一対の分割ケース９１・９１は、一端部側をヒンジ部９１ｈで屈曲自在に連結し、他端部側を開閉自在に構成している。一対の分割ケース９１・９１の他端部側を閉じることで、一組の高圧引下線Ｗｅ・Ｗｅを電気的に接続するスリーブＳｖを一対の分割ケース９１・９１で覆うことができる。
【００３４】
図１２を参照すると、一対の分割ケース９１・９１は、円筒状の外形を有するカバー本体部９０と一対の円錐体状のコーン部９１ｃ・９１ｃを備えている。カバー本体部９０は、スリーブＳｖを覆うことができる（図６参照）。又、カバー本体部９０は、絶縁シールパテ９ｐを内部に充填している（図９（Ａ）参照）。
【００３５】
図１２を参照すると、一対のコーン部９１ｃ・９１ｃは、カバー本体部９０の両端部に形成している。コーン部９１ｃは、カバー本体部９０から連続すると共に、外側に向かって縮径している。又、コーン部９１ｃは、高圧引下線Ｗｅを導入できる仮想の穴９０ｈを側面に開口している（図１２（Ｂ）参照）。
【００３６】
図１２を参照すると、一方の分割ケース９１は、複数の槍状の係止片９ｒを他端部から突出している。他方の分割ケース９１は、係止片９ｒに係脱自在な係合穴９ｈを他端部に開口している。又、一方の分割ケース９１は、把持片９２を他端部から延出している。
【００３７】
図１２を参照して、一対の開閉する把持腕を先端部に有する絶縁操作棒（図示せず）を用いて、一対の分割ケース９１・９１の他端部の対向面が当接するように、一対の分割ケース９１・９１の外周を把持することで、一対の分割ケース９１・９１の他端部側を閉じることができる（図１２（Ｄ）参照）。又、一対の開閉する把持腕を先端部に有する絶縁操作棒（図示せず）を用いて、把持片９２を把持することで、絶縁ケース９を高所に移動できる。
【００３８】
図８から図１１を参照して、菊座アダプタ６を介して、圧縮ペンチ８を共用操作棒７の先端部に取り付け、固定ダイス８１ｄと可動ダイス８２ｄの間にスリーブＳｖ（図７参照）を配置し、先端部にフック金具を有する絶縁操作棒（図示せず）を用いて、操作ハンドル８５１を一方の方向Ｌに回動すると（図８参照）、スリーブＳｖの端部を圧縮できる。
【００３９】
ところで、図８を参照すると、操作ハンドル８５１を手前側に引きながら、スリーブＳｖを圧縮するので、圧縮ペンチ８全体が手前側に傾動することがあった。これに起因して、スリーブＳｖを屈曲させることがあった。このため、両端部に一組の高圧引下線Ｗｅ・Ｗｅを圧縮したスリーブＳｖが屈曲した状態では、絶縁ケース９の内部にスリーブＳｖを収容できないことがあった（図１２参照）。つまり、一対の分割ケース９１・９１を閉じることが困難であった（図１２参照）。
【００４０】
特許文献１による電線接続用スリーブの挿入器は、共用操作棒の先端部に配置され、離隔した一対の突出ピンで、スリーブに挿入する前の電線の曲げくせを矯正する曲げくせ矯正部を備えている。
【００４１】
しかし、特許文献１による電線接続用スリーブの挿入器は、スリーブに挿入する前の電線の曲げくせを矯正できるが、高圧引下線を圧縮したスリーブの屈曲を矯正することが困難であった。両端部に一組の高圧引下線を圧縮した後の屈曲したスリーブを真直状態に矯正する電線接続用スリーブの矯正装置が求められている。そして、以上のことが本発明の課題といってよい。
【００４２】
本発明は、このような課題に鑑みてなされたものであり、両端部に一組の高圧引下線を圧縮した後の屈曲したスリーブを真直状態に矯正する電線接続用スリーブの矯正装置を提供することを目的とする。
【課題を解決するための手段】
【００４３】
本発明者らは、固定ジョーと可動ジョーでスリーブの一端部側を保持するチャック装置を備える第１の工具と、離隔した一対の矯正棒を柄部の先端部に有する第２の工具で矯正装置を構成し、一方の矯正棒を第１の工具に回転自在に連結し、柄部を操作することで、他方の矯正棒でスリーブの他端部側を矯正できると考え、これに基づいて、以下のような新たな電線接続用スリーブの矯正装置を発明するに至った。
【００４４】
（１）本発明による電線接続用スリーブの矯正装置は、両端部に一組の高圧引下線を圧縮した後の屈曲したスリーブを真直状態に矯正する電線接続用スリーブの矯正装置であって、固定ジョーと可動ジョーで前記スリーブの一端部側を保持するチャック装置を有する第１の工具と、前記スリーブの他端部側を外周方向から異なる位置で当接自在な、離隔した一対の矯正棒を柄部の先端部に有する第２の工具と、を備え、前記第１の工具は、前記チャック装置を支持する基板と、一方の前記矯正棒を挿入自在に前記基板に開口し、前記スリーブの他端部側が延びる方向に形成された一対の嵌合穴と、を有し、いずれか一方の前記嵌合穴に一方の前記矯正棒を挿入した状態で、他方の前記矯正棒を回動して、前記スリーブの他端部側を矯正する。
【００４５】
（２）前記チャック装置は、前記可動ジョーと回転自在に連結する先端部を有する送りねじと、前記基板の下端部に形成し、前記送りねじとねじ結合するナット部材と、前記送りねじの基端部に形成し、異なる用途の先端工具を共用できる共用操作棒の先端部に着脱自在な円筒状の接続具と、を備えることが好ましい。
【００４６】
（３）前記第２の工具は、異なる用途の先端工具を共用できる共用操作棒の先端部に固定された菊座アダプタに着脱自在な円板状の菊座部を前記柄部の基端部に有することが好ましい。
【発明の効果】
【００４７】
本発明による電線接続用スリーブの矯正装置は、第１の工具に設けたいずれか一方の嵌合穴に、第２の工具に設けた一方の矯正棒を挿入して、スリーブの外周に一方の矯正棒を当接し、一方の矯正棒がスリーブに当接する方向と反対方向から他方の矯正棒をスリーブの外周に当接し、一方の矯正棒を支点に他方の矯正棒をスリーブの外周に当接する方向に回動することで、「てこ」の原理でスリーブを矯正できる。
【図面の簡単な説明】
【００４８】
【図１】本発明の一実施形態による電線接続用スリーブの矯正装置の構成を示す斜視図である。
【図２】前記実施形態による電線接続用スリーブの矯正装置の構成を示す図であり、図２（Ａ）は、第１の工具の構成を示す正面図、図２（Ｂ）は、第２の工具の構成を示す正面図である。
【図３】前記実施形態による電線接続用スリーブの矯正装置の構成を示す図であり、図３（Ａ）は、第１の工具の構成を示す右側面図、図３（Ｂ）は、第２の工具の構成を示す右側面図である。
【図４】前記実施形態による電線接続用スリーブの矯正装置の使用状態を示す斜視図であり、第１の工具に開口された下側の嵌合穴に第２の工具に設けた一方の矯正棒を挿入して、電線接続用スリーブを矯正している状態図である。
【図５】前記実施形態による電線接続用スリーブの矯正装置の使用状態を示す斜視図であり、第１の工具に開口された上側の嵌合穴に第２の工具に設けた一方の矯正棒を挿入して、電線接続用スリーブを矯正している状態図である。
【図６】高圧配電線の装柱例を示す斜視図である。
【図７】電線接続用スリーブの一例を示す斜視図であり、図７（Ａ）は、一方の電線の芯線をスリーブの一方の端部に圧着した状態図、図７（Ｂ）は、他方の電線の芯線をスリーブに圧着する前の状態図である。
【図８】従来技術による手動式の圧縮装置の構成を示す正面図である。
【図９】圧縮ペンチを操作するための共用操作棒の正面図である。
【図１０】共用操作棒の先端部に設けた工具部を拡大した斜視図である。
【図１１】共用操作棒の工具部に装着可能な菊座アダプタの一例による構成を示す正面図である。
【図１２】一般的な引下線絶縁ケースの構成を示す図であり、図１２（Ａ）は引下線絶縁ケースの正面図であり、引下線絶縁ケースを開いた状態図、図１２（Ｂ）は、１２（Ａ）の右側面図、図１２（Ｃ）は、１２（Ａ）のＸ−Ｘ矢視断面図、図１２（Ｄ）は、１２（Ａ）のＸ−Ｘ矢視断面図であり、引下線絶縁ケースを閉じた状態図である。
【発明を実施するための形態】
【００４９】
以下、図面を参照して本発明を実施するための形態を説明する。
［電線接続用スリーブの矯正装置の構成］
最初に、本発明の一実施形態による電線接続用スリーブの矯正装置の構成を説明する。
【００５０】
図１は、本発明の一実施形態による電線接続用スリーブの矯正装置の構成を示す斜視図である。
【００５１】
図２は、前記実施形態による電線接続用スリーブの矯正装置の構成を示す図であり、図２（Ａ）は、第１の工具の構成を示す正面図、図２（Ｂ）は、第２の工具の構成を示す正面図である。
【００５２】
図３は、前記実施形態による電線接続用スリーブの矯正装置の構成を示す図であり、図３（Ａ）は、第１の工具の構成を示す右側面図、図３（Ｂ）は、第２の工具の構成を示す右側面図である。
【００５３】
（全体構成）
図１から図３を参照すると、本発明の一実施形態による電線接続用スリーブの矯正装置（以下、矯正装置と略称する）１００は、第１の工具１０と第２の工具２０で構成している。第１の工具１０は、チャック装置１を備えている。チャック装置１は、固定ジョー１１と可動ジョー１２でスリーブＳｖの一端部側を保持できる。
【００５４】
図１から図３を参照すると、第２の工具２０は、一対の矯正棒２ａ・２ａ、連結板２ｂ、及び、柄部２ｃを備えている。一対の矯正棒２ａ・２ａは、所定の間隔で離隔している。又、一対の矯正棒２ａ・２ａは、柄部２ｃの外周方向に略平行に突出している。連結板２ｂは、その一方の面に矯正棒２ａの基端部を固定している。柄部２ｃは、その先端部を連結板２ｂの中央部に固定している。
【００５５】
図１から図３を参照すると、第１の工具１０は、基板１３と一対の嵌合穴１３ｈ・１３ｈを有している。基板１３は、チャック装置１を支持している。一対の嵌合穴１３ｈ・１３ｈは、基板１３に開口されている。嵌合穴１３ｈには、一方の矯正棒２ａを挿入できる。一対の嵌合穴１３ｈ・１３ｈは、チャック装置１で把持されたスリーブＳｖの他端部側が延びる方向に形成されている。
【００５６】
図１を参照して、矯正装置１００は、いずれか一方の嵌合穴１３ｈに一方の矯正棒２ａを挿入した状態で、他方の矯正棒２ａを回動することで、スリーブＳｖの他端部側を矯正できる（図４又は図５参照）。
【００５７】
（第１の工具の構成）
次に、実施形態による第１の工具１０の構成を説明する。図１又は図２（Ａ）及び図３（Ａ）を参照すると、チャック装置１は、第１の工具１０に構成されている。チャック装置１は、送りねじ１４、ナット部材１５、及び、円筒状の接続具１６を更に備えている。
【００５８】
図１又は図２（Ａ）及び図３（Ａ）を参照すると、送りねじ１４は、その先端部が可動ジョー１２と回転自在に連結している。実施形態では、可動ジョー１２には、一対の止めねじ１２ｓ・１２ｓを取り付けている（図２（Ａ）参照）。一対の止めねじ１２ｓ・１２ｓは、それらの軸部が送りねじ１４の先端部に形成した輪帯溝（図示せず）に係合している。そして、一対の止めねじ１２ｓ・１２ｓは、送りねじ１４の先端部と回転自在に連結すると共に、送りねじ１４の軸方向に分離困難に送りねじ１４と連結している。
【００５９】
図１又は図２（Ａ）及び図３（Ａ）を参照すると、ナット部材１５は、基板１３の下端部に基板１３と一体で成形されている。又、ナット部材１５は、雌ねじ部（図示せず）を設けている。つまり、ナット部材１５は、送りねじ１４とねじ結合している。
【００６０】
図１又は図２（Ａ）及び図３（Ａ）を参照して、送りねじ１４を一方の方向に回転すると、可動ジョー１２を固定ジョー１１に向かって移動できる。一方、送りねじ１４を他方の方向に回転すると、可動ジョー１２を固定ジョー１１から後退できる。なお、可動ジョー１２は、基板１３の一方の面にスライドして、回り止めされながら、移動できる。
【００６１】
図１又は図３（Ａ）を参照すると、固定ジョー１１は、スリーブＳｖをその外周方向から導入自在な円弧状の第１凹部１１ａを有している。同様に、可動ジョー１２は、スリーブＳｖをその外周方向から導入自在な円弧状の第２凹部１２ａを有している。第１凹部１１ａと第２凹部１２ａは、対向配置されている。可動ジョー１２を固定ジョー１１に向かって移動すると、第１凹部１１ａと第２凹部１２ａの間に、スリーブＳｖの一端部側を把持できる。
【００６２】
図１又は図２（Ａ）及び図３（Ａ）を参照すると、接続具１６は、送りねじ１４の基端部に固定している。接続具１６は、底面が開口された円筒状に形成している。接続具１６には、軸部７１ａ（図１０参照）が嵌合する軸穴１６ａを有している。又、接続具１６には、一対のＴ字状の係合溝１６ｂ・１６ｂを有している。一対のピン７１ｂ・７１ｂ（図１０参照）を軸穴１６ａの軸方向に挿入した後に、これらのピン７１ｂ・７１ｂを軸穴１６ａの周方向に回動することで、これらのピン７１ｂ・７１ｂを係合溝１６ｂ・１６ｂに係合できる。
【００６３】
このように、図１又は図２（Ａ）及び図３（Ａ）を参照すると、接続具１６は、共用操作棒７の先端部に着脱できる（図９又は図１０参照）。共用操作棒７の先端部に接続具１６を固定した状態で、第１の工具１０を高所に移動できる。又、共用操作棒７をその軸回りに一方の方向に回転することで、固定ジョー１１と可動ジョー１２の間に、スリーブＳｖの一端部側を把持できる。
【００６４】
（第２の工具の構成）
次に、実施形態による第２の工具２０の構成を説明する。図１又は図２（Ｂ）及び図３（Ｂ）を参照すると、第２の工具２０は、円板状の菊座部２ｋを柄部２ｃの基端部に更に備えている。菊座部２ｋは、共用操作棒７の先端部に固定された菊座アダプタ６に着脱できる（図９から図１１参照）。
【００６５】
図１又は図２（Ｂ）を参照すると、菊座部２ｋは、略円形の菊座２１ａと切り欠き溝２１ｂを有している。菊座２１ａは、その表面から僅かに突出する複数の凸条２１１を円周上に配列している。切り欠き溝２１ｂは、菊座部２１ｋの底面から中心部に向かって切り欠かれている。
【００６６】
図１又は図９から図１１を参照して、菊座アダプタ６を共用操作棒７の工具部７１に固定し、菊座アダプタ６の菊座６２ａと第２の工具２０の菊座２１ａが当接するように、切り欠き溝２１ｂに雄ねじ６２ｂを挿通し、蝶ナット６３を雄ねじ６２ｂに締結することで、共用操作棒７に対して第２の工具２０を任意の傾き角度に設定できる。
【００６７】
図１又は図９から図１１を参照して、菊座アダプタ６を介して、共用操作棒７の先端部に菊座部２ｋを固定した状態で、第２の工具２０を高所に移動できる。そして、一方の矯正棒２ａをいずれか一方の嵌合穴１３ｈに挿入し、共用操作棒７を操作することで、スリーブＳｖを矯正できる。
【００６８】
［電線接続用スリーブの矯正装置の作用］
次に、実施形態による矯正装置１００の動作を説明しながら、矯正装置１００の作用及び効果を説明する。
【００６９】
図４は、前記実施形態による電線接続用スリーブの矯正装置の使用状態を示す斜視図であり、第１の工具に開口された下側の嵌合穴に第２の工具に設けた一方の矯正棒を挿入して、電線接続用スリーブを矯正している状態図である。
【００７０】
図５は、前記実施形態による電線接続用スリーブの矯正装置の使用状態を示す斜視図であり、第１の工具に開口された上側の嵌合穴に第２の工具に設けた一方の矯正棒を挿入して、電線接続用スリーブを矯正している状態図である。
【００７１】
図１又は図９及び図１０を参照して、予め、共用操作棒７の先端部に第１の工具１０を固定しておく。同様に、図１又は図９から図１１を参照して、予め、菊座アダプタ６を介して、別の共用操作棒７の先端部に第２の工具２０を固定しておく。
【００７２】
最初に、図１を参照して、両端部に一組の高圧引下線Ｗｅ・Ｗｅを圧縮したスリーブＳｖの一端部側を固定ジョー１１と可動ジョー１２の間に導入する。次に、共用操作棒７をその軸回りに一方の方向に回転し（図９参照）、固定ジョー１１と可動ジョー１２の間に、スリーブＳｖの一端部側を把持する。
【００７３】
次に、図４に示すように、スリーブＳｖの他端部側が上側に屈曲している場合には、別の共用操作棒７を操作して（図９参照）、一方の矯正棒２ａを下側の嵌合穴１３ｈに挿入する（図１参照）。そして、一方の矯正棒２ａをスリーブＳｖの他端部側の下側に配置する。この場合、図４に示すように、他方の矯正棒２ａは、スリーブＳｖの他端部側の上側に当接しておく。次に、別の共用操作棒７を操作して（図９参照）、図４に示すように、第２の工具２０を時計方向に回動することで、スリーブＳｖを真直状態に矯正できる。
【００７４】
一方、図５に示すように、スリーブＳｖの他端部側が下側に屈曲している場合には、別の共用操作棒７を操作して（図９参照）、一方の矯正棒２ａを上側の嵌合穴１３ｈに挿入する（図１参照）。そして、一方の矯正棒２ａをスリーブＳｖの他端部側の上側に配置する。この場合、図５に示すように、他方の矯正棒２ａは、スリーブＳｖの他端部側の下側に当接しておく。次に、別の共用操作棒７を操作して（図９参照）、図５に示すように、第２の工具２０を反時計方向に回動することで、スリーブＳｖを真直状態に矯正できる。
【００７５】
図５に示すように、スリーブＳｖの他端部側が下側に屈曲している場合には、柄部２ｃが延びる方向と別の共用操作棒７（図９参照）が延びる方向が鋭角に交差するように、菊座アダプタ６の菊座６２ａと第２の工具２０の菊座２１ａを予め連結しておくことが好ましく（図１又は図９から図１１参照）、第２の工具２０を反時計方向に容易に回動できる（図５参照）。
【００７６】
実施形態による矯正装置１００は、第１の工具１０に設けたいずれか一方の嵌合穴１３ｈに、第２の工具２０に設けた一方の矯正棒２ａを挿入して、スリーブＳｖの外周に一方の矯正棒２ａを当接し、一方の矯正棒２ａがスリーブＳｖに当接する方向と反対方向から他方の矯正棒２ａをスリーブＳｖの外周に当接し、一方の矯正棒２ａを支点に他方の矯正棒２ａをスリーブＳｖの外周に当接する方向に回動することで、「てこ」の原理でスリーブＳｖを矯正できる。
【００７７】
又、実施形態による矯正装置１００は、一組の共用操作棒７・７を用いて、間接活線工法によりスリーブＳｖを矯正できるというメリットがある。
【００７８】
本発明による電線接続用スリーブの矯正装置は、以下の効果を期待できる。
（１）圧縮作業時に曲がったスリーブを容易に矯正できるため、高圧引下線にスリーブを再接続することなく、矯正後のスリーブを引下線絶縁ケースの内部に収容できる。
（２）スリーブを引下線絶縁ケースの内部に正確に収容できる。
（３）停電時間を短縮できる。
（４）高圧引下線にスリーブを再接続するための労力を削減できる。
【００７９】
本発明による電線接続用スリーブの矯正装置は、間接活線工法によりスリーブを矯正できる一組の工具を開示したが、間接活線工法に限定されることなく、一般的な工具として応用することが期待される。
【符号の説明】
【００８０】
１  チャック装置
２ａ・２ａ  一対の矯正棒
２ｃ  柄部
１０  第１の工具
１１  固定ジョー
１２  可動ジョー
１３  基板
１３ｈ・１３ｈ  一対の嵌合穴
２０  第２の工具
１００  矯正装置（電線接続用スリーブの矯正装置）
Ｓｖ  スリーブ
Ｗｅ  高圧引下線
【図１】
0005955989.tif 000002
【図２】
0005955989.tif 000003
【図３】
0005955989.tif 000004
【図４】
0005955989.tif 000005
【図５】
0005955989.tif 000006
【図６】
0005955989.tif 000007
【図７】
0005955989.tif 000008
【図８】
0005955989.tif 000009
【図９】
0005955989.tif 000010
【図１０】
0005955989.tif 000011
【図１１】
0005955989.tif 000012
【図１２】
0005955989.tif 000013